(57)【要約】【課題】山岳での作業するためのロープを収納し、運搬するのに便利であり、かつ、倉庫において複数の容器を積層し、保管するのに効果的な収納運搬用容器を提供すること。【解決手段】側部１１および底部１２から形成され、少なくともロープの一部を側部１１により形成される開口から巻回して収納する収納空間１３を有する容器本体１０と、収納空間１３における底部１２に配置される支柱２０と、を備える収納運搬用容器１であって、支柱２０は、底部１２から離れる方向に向かうにつれて外径が小さくなる柱体２１を有し、側部１１の外周の一部は、円柱側面の形状を有し、側部１１は、収納空間１３を間において対向する部分の上端部および下端部に、それぞれ、上端側切り欠け部３１および下端側切り欠け部３２を有する収納運搬用容器１である。【選択図】図１
2008081142.tif 000002
【特許請求の範囲】
【請求項１】
筒状の側部と該側部の一端を開口として開放するようにかつ他端を覆うように配置された底部とを少なくとも有する容器本体であって、前記側部および前記底部から形成され、少なくともロープの一部を前記開口から巻回して収納する収納空間を有する容器本体と、
前記収納空間における前記底部に配置される支柱と、を備える収納運搬用容器であって、
前記支柱は、前記底部から離れる方向に向かうにつれて外径が小さくなる柱体を有し、
前記側部の外周の一部は、円柱側面の形状を有し、
前記側部は、前記収納空間を間において対向する部分の上端部および下端部に、それぞれ、上端側切り欠け部および下端側切り欠け部を有し、
前記上端側切り欠け部は、前記収納空間と前記容器本体の外側とへ開放し、
前記下端側切り欠け部は、前記容器本体の側部の外側と底部の外側とへ開放する収納運搬用容器。
【請求項２】
前記支柱は、さらに、前記柱体の下端部に設けられ前記底部の形状に適合する支持片を有し、
前記支持片は、前記容器本体から取り外し可能に前記底部に配置されている請求項１記載の収納運搬用容器。
【請求項３】
前記側部は、さらに、前記側部のうち前記円柱側面を形成している円柱側面部分の上端部に、前記収納空間と前記容器本体の外側とへ開放するロープ引き出し切り欠け部を有する請求項１または２記載の収納運搬用容器。
【請求項４】
前記柱体の下端部と上端部との間の長さが、前記底部と前記開口との間の長さと同じ、もしくは、それ以上である請求項１から３いずれか記載の収納運搬用容器。
【請求項５】
前記柱体は、前記柱体の下端部と上端部との間の長さが前記底部と前記開口との間の長さより短くなるように、該柱体の高さ方向に伸縮可能な伸縮機構を有する請求項４に記載の収納運搬用容器。
【請求項６】
前記柱体は、前記底部に直接または間接に配置される柱体下部、該柱体下部において前記底部と反対側に配置される柱体上部、および前記柱体上部と前記柱体下部とを取り外し可能に取り付ける取付部を有し、
前記底部と前記取付部との間の長さは、前記底部と前記開口との間の長さより短い請求項１から５いずれか記載の収納運搬用容器。
【請求項７】
前記底部に、前記開口における前記柱体の断面形状より大きい形状の支柱貫通用の開口部が設けられている請求項１から４いずれか記載の収納運搬用容器。
【請求項８】
前記側部は、さらに、前記側部において前記円柱側面が形成されている円柱側面部分を除いた上端部に、矩形状の側面を有する相手側収納運搬用容器の底部に形成された凸部に係合する係合部と、
前記円柱側面部分の上端部に、前記相手側収納運搬用容器の凸部に嵌合しかつ前記収納空間と前記容器本体の外側とへ開放する切り欠け部とを有する請求項１から７いずれか記載の収納運搬用容器。
【請求項９】
前記柱体は、前記ロープの巻回した量を示す目盛りを表示する目盛り領域を有する請求項１から８いずれか記載の収納運搬用容器。
【請求項１０】
ロープを収納する２個以上の収納容器の間に積層される筒状のスペーサーであって、
前記スペーサーの上端部側および下端部側の少なくともいずれかに、前記スペーサーの内部と外部とへ開放するロープ引き出し切り欠け部を有するスペーサー。
【発明の詳細な説明】
【技術分野】
【０００１】
本発明は、送電線工事に使用するロープを、収納し運搬するための収納運搬用容器、および、スペーサーに関する。
【背景技術】
【０００２】
送電線を架線するなどの送電線工事に使用するロープ（通鋼）は、普通６０〜８０ｍと長尺である。山岳で行うそのような送電線工事には、ロープの運搬−ほどき−巻取−運搬と、かなりの労力を必要とする作業が含まれる。また、ロープを巻き取るときは、ロープのよれ、もつれ、よごれなどがロープに発生しないように気を付けながら巻き取り作業を行うので、ロープの巻き取り作業の効率の低下を招く。作業者は、巻き取ったロープをそのまま肩に担いだり、巻き取ったロープと複数工具とを同時に運ぶことができる背負子に入れてその背負子を担いだりして、ロープを運搬している。
【０００３】
例えば、ロープなどの線状物を収納する梱包箱として、特許文献１には、箱部と該箱部の中央に固定される中心筒と、底面部と該底面部を挟んでその両側に設けられ該線状物を側方から囲む側壁部とからなる補助部材と、を備える梱包箱が記載されている。この梱包箱は、線状物が中心筒を巻回するように収納することにより、線状物を連続的に取り出すことが可能になっている。
【特許文献１】登録実用新案公報第３０５９７８９号
【発明の開示】
【発明が解決しようとする課題】
【０００４】
しかしながら、特許文献１に記載されている梱包箱は、線状物を収納、取り出すことについて検討されているが、運搬については検討されていなかった。また、収納についても、線状物を容器に収納することについての構造は検討されているが、各々の収納容器を保管するための構造については検討されていなかった。
【０００５】
本発明は、山岳での作業するためのロープを収納し、運搬するのに便利であり、かつ、倉庫において複数の容器を積層し、保管するのに効果的な収納運搬用容器、および、従来の収納容器の間に積層し、複数のロープを収納するのに便利なスペーサーを提供することを目的とする。
【課題を解決するための手段】
【０００６】
本発明者らは、上記課題を解決するために、容器の形状に着目して、鋭意研究を重ねた。その結果、容器本体の側部に切り込み部を設けると共に、容器の側部の外周に円柱側面を設けることで、上記課題を解決できることを見出し、本発明を完成するに至った。より具体的には、本発明は以下のようなものを提供する。
【０００７】
（１）  筒状の側部と該側部の一端を開口として開放するようにかつ他端を覆うように配置された底部とを少なくとも有する容器本体であって、前記側部および前記底部から形成され、少なくともロープの一部を前記開口から巻回して収納する収納空間を有する容器本体と、前記収納空間における前記底部に配置される支柱と、を備える収納運搬用容器であって、前記支柱は、前記底部から離れる方向に向かうにつれて外径が小さくなる柱体を有し、前記側部の外周の一部は、円柱側面の形状を有し、前記側部は、前記収納空間を間において対向する部分の上端部および下端部に、それぞれ、上端側切り欠け部および下端側切り欠け部を有し、前記上端側切り欠け部は、前記収納空間と前記容器本体の外側とへ開放し、前記下端側切り欠け部は、前記容器本体の側部の外側と底部の外側とへ開放する収納運搬用容器。
【０００８】
（１）の発明によれば、支柱は、外径が底部から離れる方向に向かうにつれて小さくなる柱体を有している。したがって、ロープを収納する際、ロープを支柱に架けることにより、ロープが支柱を滑るように収納運搬用容器内の収納空間に入るため、ロープを効率よく収納空間に収納することができる。また、容器本体の側部の外周の一部は円柱側面の形状を有しているため、本発明の収納運搬用容器を、例えば背負子に背負うという方法で山岳部を運搬する場合、収納運搬用容器が運搬する経路の脇に生えている木々の枝のような障害物に引っ掛かることを防止することができる。この結果、作業者は収納運搬用容器を容易に運搬することができる。
【０００９】
また、容器本体の側部は、収納空間を間において対向する部分の上端部および下端部に、それぞれ、上端側切り欠け部および下端側切り欠け部を有している。作業者は、山岳部における送電線工事を行うために、ロープが収納された収納運搬用容器を背負子に背負い運搬する必要がある。このとき、背負子に収納運搬用容器を固定するためのロープを上端側切り欠け部、および下端側切り欠け部に架けることにより、収納運搬用容器が背負子からずれたり、脱落したりすることを防止することができる。
【００１０】
（２）  前記支柱は、さらに、前記柱体の下端部に設けられ前記底部の形状に適合する支持片を有し、前記支持片は、前記容器本体から取り外し可能に前記底部に配置されている（１）の収納運搬用容器。
【００１１】
（２）の発明によれば、柱体の下端部は、容器本体の収納空間の底部の形状に適合するよう支持片を備えている。したがって、収納時、または、運搬時などにおいても、支柱が容器内で動くことがないため、収納運搬用容器を安定して運ぶことができる。また、支柱は取り外し可能に配置されているため、支柱を取り外すことにより、容器本体を別の用途に用いることができる。また、支持片の形状を従来用いられているコンテナなどの収納容器に適合する形状とすることで、一般的な収納容器にも適用することができる。
【００１２】
（３）  前記側部は、さらに、前記側部のうち前記円柱側面を形成している円柱側面部分の上端部に、前記収納空間と前記容器本体の外側とへ開放するロープ引き出し切り欠け部を有する（１）または（２）記載の収納運搬用容器。
【００１３】
（３）の発明によれば、側部のうち、円柱側面を形成している部分の上端部に、ロープ引き出し切り欠け部を有している。したがって、収納するロープが長く複数の収納運搬用容器に収納する場合、このロープ引き出し切り欠け部にロープの中央部分を通し、複数の収納運搬用容器に収納する。そして、この収納運搬用容器を積層しても、ロープの部分で段差を形成せずに収納することができる。また、ロープ引き出し切り欠け部は、収納空間と容器本体の外側とへ開放し形成されているため、ロープを架けることで、ロープ引き出し切り欠け部にロープを通過させることができる。穴を設けた場合は、ロープの先端から穴を通す必要があるため、ロープ引き出し切り欠け部を開放することで、ロープの途中からでも通過させることができ、効率的である。
【００１４】
（４）  前記柱体の下端部と上端部との間の長さが、前記底部と前記開口との間の長さと同じ、もしくは、それ以上である（１）から（３）いずれか記載の収納運搬用容器。
【００１５】
（４）の発明によれば、柱体の下端部と上端部との間の長さが、容器本体の底部と開口との間の長さと同じ、もしくは、それ以上である。したがって、容器本体にロープを収納する際、ロープを柱体に架け易くなり、容易にロープの収納をすることができる。
【００１６】
（５）  前記柱体は、前記柱体の下端部と上端部との間の長さが前記底部と前記開口との間の長さより短くなるように、該柱体の高さ方向に伸縮可能な伸縮機構を有する（４）に記載の収納運搬用容器。
【００１７】
（５）の発明によれば、柱体は、容器本体の底部と開口の間の長さより短くなるように伸縮機能を有している。したがって、ロープを巻き取る際は、柱体の下端部と上端部との間の長さを、容器本体の底部と開口の間の長さより長くなるように設定し、ロープを巻き取り易くする。逆に、収納運搬用容器を積層し、収納、運搬する際は、柱体の長さを底部と開口の長さより短くすることにより、柱体が積層される相手側の収納運搬用容器の底部にあたることなく、収納運搬用容器を積層することができ、倉庫などに保管することができる。
【００１８】
（６）  前記柱体は、前記底部に直接または間接に配置される柱体下部、該柱体下部において前記底部と反対側に配置される柱体上部、および前記柱体上部と前記柱体下部とを取り外し可能に取り付ける取付部を有し、前記底部と前記取付部との間の長さは、前記底部と前記開口との間の長さより短い（１）から（５）いずれか記載の収納運搬用容器。
【００１９】
（６）の発明によれば、柱体は、取付部で柱体下部と柱体上部で取り外しが可能となっている。したがって、柱体下部と柱体上部で取り外すことにより、柱体が積層される相手側の収納運搬用容器の底部にあたることなく、収納運搬用容器を積層することができる。
【００２０】
（７）  前記底部に、前記開口における前記柱体の断面形状より大きい形状の支柱貫通用の開口部が設けられている（１）から（４）いずれか記載の収納運搬用容器。
【００２１】
（７）の発明によれば、収納運搬用容器の底部には、収納運搬用容器の開口における柱体の断面形状より大きい形状の支柱貫通用の開口部が設けられている。したがって、収納運搬用容器を積層する際、下側になる収納運搬用容器の開口から上部にある支柱は、上側になる収納運搬用容器の底部に設けられる支柱貫通用の開口部を貫通する。したがって、収納運搬用容器を積層することができ、運搬、収納に便利である。
【００２２】
（８）  前記側部は、さらに、前記側部において前記円柱側面が形成されている円柱側面部分を除いた上端部に、矩形状の側面を有する相手側収納運搬用容器の底部に形成された凸部に係合する係合部と、前記円柱側面部分の上端部に、前記相手側収納運搬用容器の凸部に嵌合しかつ前記収納空間と前記容器本体の外側とへ開放する切り欠け部とを有する（１）から（７）いずれか記載の収納運搬用容器。
【００２３】
（８）の発明によれば、収納運搬用容器の側部の円柱側面部分を除いた上端部に、積層する相手側収納容器の底部に形成された凸部に係合する係合部を有している。したがって、収納運搬用容器を積層した際、上側と下側の収納運搬用容器がずれることがなく、収納運搬用容器を安定して運搬することができる。また、円柱側面部分の上端部は、相手側収納運搬用容器の凸部に嵌合する切り欠け部を有する。したがって、相手側収納運搬用容器の凸部の形状と収納運搬用容器の側部の上端部との形状が異なる場合でも、切り欠け部で相手側収納運搬用容器の凸部とで嵌合するため、収納運搬用容器を安定して積層することができる。
【００２４】
（９）  前記柱体は、前記ロープの巻回した量を示す目盛りを表示する目盛り領域を有する（１）から（８）いずれか記載の収納運搬用容器。
【００２５】
（９）の発明によれば、柱体は、目盛り領域を有するため、ロープを収納運搬用容器から引き出した際に、残りのロープの長さを確認することができる。
【００２６】
（１０）  ロープを収納する２個以上の収納容器の間に積層される筒状のスペーサーであって、前記スペーサーの上端部側および下端部側の少なくともいずれかに、前記スペーサーの内部と外部とへ開放するロープ引き出し切り欠け部を有するスペーサー。
【００２７】
（１０）の発明によれば、２個以上の収納容器の間に積層されるスペーサーにロープ引き出し切り欠け部を有している。したがって、例えばコンテナのような収納容器の間にスペーサーを積層することにより、スペーサーのロープ引き出し切り欠け部からロープを引き出すことにより、段差を形成することなく安定して収納容器を積層することができる。
【発明の効果】
【００２８】
本発明によれば、切り欠け部に運搬用のロープを架けて運搬することで、容器のずれを防止し、また、運搬時に枝などの引っ掛かりが少なく、運搬に便利な収納運搬用容器を提供することができる。また、２個以上の収納運搬用容器にロープを収納する際、側面の上端部にあるロープ引き出し切り欠け部にロープを通すことで、段差を形成することなく収納運搬用容器を積層することができる。また、側部の外周の一部が円柱側面の形状である上端部に切り欠け部を設けることで、例えば、収納運搬用容器を並べて倉庫などに保管する場合、隣り合う収納運搬用容器との隙間にロープが配置されるため、収納運搬用容器は整頓されて配置することができる。
【発明を実施するための最良の形態】
【００２９】
以下、本発明の実施形態について添付した図面を参照しながら説明する。なお、これはあくまでも一実施形態であって、本発明の技術的範囲はこれに限られるものではない。
【００３０】
図１を参照して、本発明の実施形態に係る収納運搬用容器１について説明する。
【００３１】
＜全体構成＞
図１は、収納運搬用容器１の概略図であり、図１（ａ）に全体図、図１（ｂ）に円柱側面部分の上端部の拡大図を示す。収納運搬用容器１は、筒状の側部１１と底部１２を有し、側部１１と底部１２から形成される収納空間１３を有する容器本体１０と、収納運搬用容器１の底部１２に配置される支柱２０と、を備える。
【００３２】
＜容器本体１０＞
容器本体１０は、筒状の側部１１と側部１１の一端を開口として開放するようにかつ他端を覆うように配置された底部１２とを少なくとも有する。また、容器本体１０は側部１１および底部１２から形成され、少なくともロープ２（図４参照）の一部を開口から巻回して収納する収納空間１３を有する。容器本体１０は、側部１１の外周１４の部分１１ａに円柱側面の形状を有している。側部１１の外周１４の部分１１ａを円柱側面の形状とすることで、収納運搬用容器１の運搬時に、収納運搬用容器１が運搬路の近くに生えている枝などに引っ掛かることを防止することができる。さらに、側部１１は、側部１１の部分１１ｂに直線形状を有しているので、運搬の際に固定し安定して運搬することができる。また、側部１１の内周１５はロープ２を収納空間中に巻回して収納するため、内周１５のコーナー部１５ａが略円形状であることが好ましい。
【００３３】
容器本体１０の材質は、ロープ２を収納することができれば、特に限定されないが、運搬に便利であるため、容器本体１０は軽量のプラスチックで形成されていることが好ましい。
【００３４】
＜支柱２０＞
支柱２０は、容器本体１０の収納空間１３に配置され、本発明の収納運搬用容器１を構成する。支柱２０は、柱体２１と容器本体１０の底部１２の形状に適合する支持片２２とを有している。柱体２１の外径は、容器本体１０の底部１２や支持片２２からロープ２を収納することができるように、底部１２から離れる方向に向かうにつれて小さくなる形状を有する。これにより、ロープ２を収納する際、ロープ２が柱体２１を滑り易くなるため、容器本体１０の底部１２からロープ２を収納することができる。また、支持片２２は、容器本体１０の底部１２に適合するように形成されているため、運搬時に柱体２１が底部１２に対してゆれることがなく、収納運搬用容器１を安定して運ぶことができる。
【００３５】
また、柱体２１は、巻回した量を示す目盛りを表示する目盛り領域２３を有する。目盛りを目盛り領域２３に表示することにより、作業者が収納されたロープ２の長さを確認することができる。
【００３６】
なお、支柱２０は図示の例に限定されず、図２、図３に示す他の形状であってもよい。図２に示す支柱２０ａは、４本の柱体２１ａにより形成されており、４本の柱体全体として、底部１２から離れるにつれて外径が小さくなっている。柱体の数は、４本に限定されず、２本、３本、または５本以上であってもよい。また、柱体の形状も、角柱に限定されず、円柱、三角柱などを用いることができる。また、図３に示すように、柱体２１ｂが十字状である支柱２０ｂであってもよい。このような形状にすることにより支柱２０を軽量化することができる。
【００３７】
また、支柱２０の材質は、容器本体１０と同様に軽量のプラスチックで形成されていることが好ましい。
【００３８】
また、図１は、支柱２０が容器本体１０と取り外しが可能である収納運搬用容器１であるが、収納運搬用容器は、容器本体１０に支柱２０が固定されている構成であってもよい。
【００３９】
また、柱体２１の下端部と上端部との間の長さｌ２が、容器本体１０の収納空間１３の底部と開口との間の長さｌ１と同じ、もしくは、それ以上であることが好ましい。柱体２１の長さｌ２を収納空間１３の底部と開口との間の長さｌ１より長くすることで、ロープ２を収納する際、柱体２１に、ロープ２が架け易くなるため、ロープ２を簡単に収納することができる。
【００４０】
図４は、本発明の収納運搬用容器１を用いて、ロープ２を引き出す作業状態を示す図である。本発明の収納運搬用容器１を用いることにより、ロープ２の収納時に、ロープ２を支柱２０に巻回して収納するため、ロープ２のもつれ、よれがない。また、収納運搬用容器１の底部１２からロープ２が整理され収納されているため、ロープ２を収納運搬用容器１から引き出す際に、ロープ２をほどく必要がなく、一人でロープ２を引き出す作業を行うことができる。また、収納する際にも、従来は、複数名で、ロープ２をほどき、巻き取らなければならなかったが、本発明の収納運搬用容器１によれば、支柱２０に巻回するだけで収納することができるため、一人でも容易に作業することができる。
【００４１】
また、ロープ２を地面に置くことなく、ロープ２を収納運搬用容器１に収納できるため、ロープ２を汚すことなく使用することができる。
【００４２】
＜上端側切り欠け部３１、下端側切り欠け部３２＞
図６に示すように、容器本体１０の側部１１は、収納空間１３を間において対向する部分の上端部および下端部にそれぞれ、上端側切り欠け部３１および下端側切り欠け部３２を有する。例えば、背負子３などで運搬する場合、上端側切り欠け部３１および下端側切り欠け部３２に固定用ロープ４を架けて運搬することで、背負子３から収納運搬用容器１がずれること、脱落することを防止することができる。
【００４３】
上端側切り欠け部３１は、容器本体１０の収納空間１３と容器本体の外側とへ開放するように形成されている。また、下端側切り欠け部３２は、容器本体１０の側部１１の外側と底部１２の外側とへ開放するように形成されている。このように、側面へ開放する切り欠け部を有することで、例えば、固定用ロープ４を側部１１に形成された穴に通す場合などにくらべ、容易に切り欠け部に固定用ロープ４を上端側切り欠け部３１および下端側切り欠け部３２に架けることができる。
【００４４】
上端側切り欠け部３１および下端側切り欠け部３２の形状は、固定用ロープ４を側部１１に架けることができ、収納運搬用容器１が背負子３からずれなければ、特に限定されないが、Ｕ字状であることが好ましい。また、上端側切り欠け部３１および下端側切り欠け部３２は、それぞれ２個以上有することが好ましい。固定用ロープ４を２箇所以上に架けることができるため、収納運搬用容器１を安定して背負子３に取り付けることができ、収納運搬用容器１を安定して運搬することができる。
【００４５】
容器本体１０が、２箇所の上端側切り欠け部３１および２箇所の下端側切り欠け部３２を有する場合、一方の上端側切り欠け部３１と他方の上端側切り欠け部３１の間の長さｌ３は、一方の下端側切り欠け部３２と他方の下端側切り欠け部３２の間の長さｌ４より長いことが好ましい。また、収納運搬用容器１を上から見たとき、上端側切り欠け部３１とこれに隣接する上端側切り欠け部３１との間に、対応する下端側切り欠け部３２、３２が入っていることが好ましい。つまり、固定用ロープ４を収納運搬用容器１の上端側切り欠け部３１、下端側切り欠け部３２に架けた場合、固定用ロープ４が逆ハの字状になることが好ましい。
【００４６】
＜ロープ引き出し切り欠け部４１＞
図５に示すように、容器本体１０の側部１１の上端部には、収納空間１３と容器本体１０の外側とへ開放するロープ引き出し切り欠け部４１が備えられている。ロープ２が長く、２個以上の収納運搬用容器１に収納する場合、一方の収納運搬用容器１から他方の収納運搬用容器１に伸びるロープ２を、ロープ引き出し切り欠け部４１に架けることにより、２つの収納運搬用容器１を、これらの間に段差をつくることなく、積層することができる。
【００４７】
ロープ引き出し切り欠け部４１は、容器本体１０の側部１１のうち、円柱側面を形成している円柱側面の部分１１ａの上端部に形成されていることが好ましい。円柱側面の部分１１ａに形成することにより、後に記載するように、複数の収納運搬用容器１を例えば、倉庫などに保管する場合、容器本体１０の外側に配置されているロープ２が、隣り合う収納運搬用容器１と接触することがなく、整列して並べることができる。また、側部１１の円柱側面の部分１１ａを除いた部分１１ｂに、取手などを設けることができる。
【００４８】
ロープ引き出し切り欠け部４１の形状としては、ロープ２を引き出した状態で、上下方向に２つの収納運搬用容器１を積層した際に、段差が形成されなければ特に限定されないが、Ｕ字状であることが好ましい。また、用いるロープ２の外径より、ロープ引き出し切り欠け部４１が大きく形成されていることが好ましい。
【００４９】
＜切り欠け部５１＞
図１に示すように、容器本体１０の側部１１の円柱側面の部分１１ａの上端部には、収納空間１３と容器本体１０の外側とへ開放する切り欠け部５１が形成されている。本発明の収納運搬用容器１は、側部１１の外周の一部が円柱側面の形状を有しているため、コーナー部の形状がほぼ角張っている矩形状の側部１１を有している収納運搬用容器を積層すると、積層する収納運搬用容器の底部に形成された凸部と係合しないため、うまく積層することができない。しかし、収納運搬用容器１は、円柱側面の部分１１ａの上端部に形成された切り欠け部５１を有しているため、この切り欠け部５１を、積層する相手側収納運搬用容器の凸部と嵌合するように設けることで、矩形状の収納運搬用容器を容易にかつ確実に積層することができる。
【００５０】
なお、容器本体１０の側部において円柱側面の部分１１ａを除いた上端部に、相手側収納運搬用容器の底部に形成された凸部に係合する係合部を有することが好ましい。係合部を設けることにより、より安定して、収納運搬用容器を積層することができる。
【００５１】
図５に、ロープ２を２個の収納運搬用容器１に収納した図を示す。図５に示すように、ロープ２は、一方の収納運搬用容器１に収納され、収納しきれなかったロープ２は一方の収納運搬用容器１のロープ引き出し切り欠け部４１を通り、他方のロープ引き出し切り欠け部４１から他方の収納運搬用容器１内に収納される。下段の収納運搬用容器１のロープ引き出し切り欠け部４１を通過させることにより、段差をつくることなくロープ２を収納運搬用容器１に収納することができる。
【００５２】
図６に本発明の収納運搬用容器１を背負子３に配置した図を示す。図７に従来の収納容器５０１を背負子３に配置した図を示す。図７に示すように、背負子３に従来の収納容器５０１を配置した場合、固定用ロープ４を収納容器５０１に架ける箇所がないため、運搬中に背負子３から収納容器５０１がずれてしまう可能性がある。また、２個以上の収納容器５０１を運搬する場合、固定用ロープ４は、収納容器５０１の上で固定されているため、さらに、収納容器５０１を積層すると固定用ロープ４の分、段差が生じ不安定である。
【００５３】
しかし、図６に示すように、本発明の収納運搬用容器１を用いることにより、上端側切り欠け部３１および下端側切り欠け部３２に固定用ロープ４を架けることで、背負子３からずれることなく、収納運搬用容器１を安定して運搬することができる。また、固定用ロープ４は、上端側切り欠け部３１および下端側切り欠け部３２内に入るため、収納運搬用容器１を積層しても、固定用ロープ４の段差ができない。
【００５４】
＜支柱の構造＞
図１に示すように、柱体２１の下端部と上端部との間の長さｌ２が、容器本体１０の収納空間１３の底部と開口との間の長さｌ１以上とした場合、柱体２１は、柱体２１の長さｌ２が収納空間１３の底部と開口との間の長さｌ１より短くなるため伸縮機構を有することが好ましい。柱体２１の長さｌ２が収納空間１３の底部と開口との間の長さｌ１より短くなることにより、積層する収納運搬用容器の底部に柱体２１があたらず、収納運搬用容器１を積層することができる。
【００５５】
図８（ａ）にロープ収納時の柱体を説明する収納運搬用容器の断面図、図８（ｂ）に収納運搬用容器の積層時の柱体を説明する収納運搬用容器の断面図を示す。図８は、柱体１２１の内部に伸縮機構１６０であるバネを有する。通常、図８（ｂ）に示すように、バネは、底部１２に配置される柱体下部１２５中に備えられ、柱体上部１２４は取付部１２６の下側に取り外し可能に配置される。積層時には、バネを収縮させ、柱体下部１２５内に収納することができる。また、ロープ２を収納、引き出す場合は、図８（ａ）に示すように、伸縮機構１６０であるバネを伸ばし、取付部１２６で柱体上部１２４と柱体下部１２５と取り付ける。これにより、柱体１２１の下端部と上端部の長さを底部１２と開口との間の長さより長くすることができる。
【００５６】
図９は、柱体の他の形状を示す図である。図９に示す柱体は、伸縮機構２６０として蛇腹形状を有している。これにより、ロープ２の収納時には、図９（ａ）に示すように、柱体２２１の下端部と上端部の長さを底部１２と開口との間の長さより長くすることができ、積層時には、図９（ｂ）に示すように短くすることができる。
【００５７】
図１０は、柱体のさらに他の形状を示す図である。図１０に示す柱体３２１は、取付部３２６で柱体上部３２４と柱体下部３２５とで取り外し可能に取り付けられている。したがって、ロープ２の収納時には、図１０（ａ）に示すように、柱体上部３２４と柱体下部３２５を取り付けることにより、柱体３２１の下端部と上端部の長さを底部１２と開口との間の長さより長くすることができる。また、積層時には、図１０（ｂ）に示すように、柱体上部３２４を反転させ、収納することで、短くすることができる。
【００５８】
図１１は、収納運搬用容器の他の形状を示す断面図である。この収納運搬用容器４１０は、収納運搬用容器４１０を積層した場合、下部に積層される収納運搬用容器４１０の開口における柱体４２１の断面形状より大きい形状の支柱貫通用の開口部４１６が、底部４１２に設けられている。開口部より上部の柱体は、上側に積層された収納運搬用容器４１０の支柱貫通用の開口部４１６を貫通し、柱体は収納運搬用容器４１０内に、収納される。したがって、柱体４２１の下端部と上端部の長さが容器本体４１１の底部４１２と開口部の長さより長くても、収納運搬用容器４１０を積層することができる。
【００５９】
図１２は、ロープ２が収納された複数の収納運搬用容器１を保管した状態の平面図を示す。ロープ引き出し切り欠け部４１は、側部１１のうち円柱側面を形成している円柱側面部分に設けられている。したがって、図１２に示すように、破線で示す矩形の側部を有する収納容器と比較し、円柱側面部分の外側にロープ２を配置することができる。収納運搬用容器１を保管する際、容器本体１０の外部に出ているロープ２が隣り合う収納運搬用容器１に隙間を通過し、接触することがない。そのため、円柱側面部分を除いた側部１１で収納運搬用容器１を並べることができ、整列して並べることができる。
【００６０】
＜スペーサー７０＞
図１３は、本発明のスペーサーを示す斜視図、図１４は、スペーサーの使用状態を示す斜視図である。スペーサー７０は、筒状の形状であり、ロープ２を２個以上の収納容器５０１に収納する際、収納容器５０１の間に積層して用いられる。形状は、用いられる収納容器の形状に合わせ適宜、選択することができる。スペーサー７０の側部７１の上端部側および下端部側の少なくともいずれかに、積層される一方の収納容器５０１から他方の収納容器５０１につながるロープを通過させるロープ引き出し切り欠け部７２が、備えられている。ロープ引き出し切り欠け部７２は、スペーサー７０の内部と外部とへ開放するように形成されている。また、スペーサー７０の側部７１は、筒状の空間の対向する位置の上端部および下端部にそれぞれ、上端側切り欠け部７３および下端側切り欠け部７４を備えることができる。下端部側切り欠け部７３および下端部側切り欠け部７３についても同様に、スペーサー７０の内部と外部とへ開放するように形成されている。ロープ引き出し切り欠け部７２、上端側切り欠け部７３および下端側切り欠け部７４の形状については、上述した収納運搬用容器１のそれぞれの切り欠け部と同様の形状を示すことができる。
【００６１】
図１４にスペーサーの使用状態を示す斜視図を示す。本発明のスペーサー７０は、従来使用されている収納容器５０１の間に積層し用いられる。一方の収納容器に収納しきれなかったロープ２をスペーサー７０に形成されているロープ引き出し切り欠け部７２を通し、他方の収納容器５０１に収納させることで、収納容器に段差を設けることなく、収納容器５０１を積層させることができる。また、図示しないが、本発明のスペーサー７０を収納容器５０１の上部と下部に積層させ、上端側切り欠け部７３および下端側切り欠け部７４に固定用ロープで固定することで、収納容器５０１がずれることなく、安定して運搬することができる。
【図面の簡単な説明】
【００６２】
【図１】本発明の収納運搬用容器を示す概略図の全体図（ａ）および円柱側面部分の上端部の拡大図（ｂ）である。
【図２】本発明の支柱の他の形状を示す斜視図である。
【図３】本発明の支柱のさらに他の形状を示す斜視図である。
【図４】本発明の収納運搬用容器の使用状態を示す図である。
【図５】２個の収納運搬用容器にロープを収納した状態を示す斜視図である。
【図６】本発明の収納運搬用容器を背負子に配置した状態を示す図である。
【図７】従来の収納容器を背負子に配置した状態を示す図である。
【図８】本発明の収納運搬用容器の断面図であり、使用時を説明する図（ａ）および積層時を説明する図（ｂ）である。
【図９】柱体の他の実施形態を示す断面図であり、使用時を説明する図（ａ）および積層時を説明する図（ｂ）である。
【図１０】柱体のさらに他の実施形態を示す断面図であり、使用時を説明する図（ａ）および積層時を説明する図（ｂ）である。
【図１１】柱体のさらに他の実施形態を示す断面図であり、積層時を説明する図である。
【図１２】ロープが収納された本発明の収納運搬用容器の保管状態を説明する図である。
【図１３】本発明のスペーサーを示す斜視図である。
【図１４】本発明のスペーサーの使用状態を示す斜視図である。
【符号の説明】
【００６３】
１  収納運搬用容器
２  ロープ
３  背負子
４  固定用ロープ
１０  容器本体
１１、４１１  側部
１２、４１２  底部
１３  収納空間
１４  外周
１５  内周
２０、２０ａ、２０ｂ  支柱
２１、２１ａ、２１ｂ、１２１、２２１、３２１、４２１  柱体
２２、２２ａ、２２ｂ  支持片
２３  目盛り領域
３１  上端側切り欠け部
３２  下端側切り欠け部
４１  ロープ引き出し切り欠け部
５１  切り欠け部
７０  スペーサー
７１  側部
７２  ロープ引き出し切り欠け部
７３  上端側切り欠け部
７４  下端側切り欠け部
１２４、３２４  柱体上部
１２５、３２５  柱体下部
１２６  取付部
１６０、２６０  伸縮機構
４１６  支柱貫通用の開口部
５０１  収納容器
【図１】
2008081142.tif 000003
【図２】
2008081142.tif 000004
【図３】
2008081142.tif 000005
【図４】
2008081142.tif 000006
【図５】
2008081142.tif 000007
【図６】
2008081142.tif 000008
【図７】
2008081142.tif 000009
【図８】
2008081142.tif 000010
【図９】
2008081142.tif 000011
【図１０】
2008081142.tif 000012
【図１１】
2008081142.tif 000013
【図１２】
2008081142.tif 000014
【図１３】
2008081142.tif 000015
【図１４】
2008081142.tif 000016